(57)【特許請求の範囲】
【請求項１】
外郭を形成する本体と、前記本体上面の肩部材にヒンジピンを介して取り付けられる蓋体と、前記本体内に収納される内鍋と、前記本体内に設けられる加熱源を有する炊飯器において、
前記肩部材には、前記ヒンジピンを配置するための空間を有し、
前記空間には、前記ヒンジピン、前記蓋体の開蓋力を減衰するダンパー及び前記蓋体を開蓋するスプリングを有し、
前記ヒンジピンに前記ダンパーを設けるとともに、前記ダンパーの底壁面を前記空間を形成する前記肩部材の一壁面に対向させ、
前記肩部材の一壁面の前記スプリングに対向する面でない前記ダンパーに対向する面に複数のリブを設け、
前記リブの高さは、前記一壁面と前記底壁面との間の隙間が出来るだけ生じない長さであり、
前記リブは、開蓋時に前記底壁面が当接する前記肩部材の一壁面を補強する機能を有することを特徴とする炊飯器。
【請求項２】
外郭を形成する本体と、前記本体上面の肩部材にヒンジピンを介して取り付けられる蓋体と、前記本体内に収納される内鍋と、前記本体内に設けられる加熱源を有する炊飯器において、
前記肩部材には、前記ヒンジピンを配置するための空間を有し、
前記空間には、前記ヒンジピン、前記蓋体の開蓋力を減衰するダンパー及び前記蓋体を開蓋するスプリングを有し、
前記ヒンジピンに前記ダンパーを設けるとともに、前記ダンパーの底壁面を前記空間を形成する前記肩部材の一壁面に対向させ、
前記肩部材の一壁面の前記ダンパーに対向する面に複数のリブを設け、
前記リブの高さは、前記一壁面と前記底壁面との間の隙間が出来るだけ生じない長さであり、
前記リブは、開蓋時に前記底壁面が当接する前記肩部材の一壁面を補強する機能を有し、開蓋時の前記ダンパーの効き始め角度の調整が可能であることを特徴とする炊飯器。
【請求項３】
外郭を形成する本体と、前記本体上面の肩部材にヒンジピンを介して取り付けられる蓋体と、前記本体内に収納される内鍋と、前記本体内に設けられる加熱源を有する炊飯器において、
前記肩部材には、前記ヒンジピンを配置するための空間を有し、
前記空間には、前記ヒンジピン、前記蓋体の開蓋力を減衰するダンパー及び前記蓋体を開蓋するスプリングを有し、
前記ヒンジピンに前記ダンパーを設けるとともに、前記ダンパーの底壁面を前記空間を形成する前記肩部材の一壁面に対向させ、
前記肩部材の一壁面の前記ダンパーに対向する面に複数のリブを設け、
前記リブの高さは、前記一壁面と前記底壁面との間の隙間が出来るだけ生じない長さであり、
前記リブの先端を結んだ線は直線状であり、
前記リブは、開蓋時に前記底壁面が当接する前記肩部材の一壁面を補強する機能を有し、開蓋時の前記ダンパーの効き始め角度の調整が可能であることを特徴とする炊飯器。
【請求項４】
外郭を形成する本体と、前記本体上面の肩部材にヒンジピンを介して取り付けられる蓋体と、前記本体内に収納される内鍋と、前記本体内に設けられる加熱源を有する炊飯器において、
前記肩部材には、前記ヒンジピンを配置するための空間を有し、
前記空間には、前記ヒンジピン、前記蓋体の開蓋力を減衰するダンパー及び前記蓋体を開蓋するスプリングを有し、
前記ヒンジピンに前記ダンパーを設けるとともに、前記ダンパーの底壁面を前記空間を形成する前記肩部材の一壁面に対向させ、
前記肩部材の一壁面の前記ダンパーに対向する面に複数のリブを設け、
前記リブの高さは、前記一壁面と前記底壁面との間の隙間が出来るだけ生じない長さであり、
前記リブは、開蓋時に前記底壁面が当接する前記肩部材の一壁面を補強する機能を有し、
前記複数のリブの高さは、上下方向で全て同じか、または上下方向で上から順次高くなるか、または上下方向で上から順次低くなるであり、
前記複数のリブの高さが前記上下方向で全て同じものと、前記上下方向で上から順次高くなるものと、前記上下方向で上から順次低くなるものとでは前記ダンパーの効き始め角度が異なることを特徴とする炊飯器。
【発明の詳細な説明】
【技術分野】
【０００１】
本願発明は、炊飯器の蓋体のダンパー取付構造に関する。
【背景技術】
【０００２】
炊飯器の本体上方には蓋体が設けられる。この蓋体は、本体上端部の肩部材の後方に取り付けられるヒンジピンに取り付けられており、同じくヒンジピンに取り付けられるスプリングにより炊飯器の前方に設けられるロック部材の係合が解除されると自動的に開放する。ところで、蓋の開放は強めのスプリングにより行われており、ロック部材の係合が解除されると、蓋体は素早く開放する。そのため、ユーザーは驚いたり、或いは手等が蓋体に当たったりして不愉快な思いをすることもある。このような弊害をなくすためにヒンジピンにダンパーを設け、蓋体の開放速度を低減させるものがある。
【０００３】
そのようなダンパーを設けたものの取付構造を図１１に示す。図は炊飯器本体の上部に形成される肩部材１の後方のヒンジピン５が設けられるヒンジ空間２を示す。このヒンジ空間２は、左右の短い長さの側壁部３ａ、３ａと、両側壁部３ａ、３ａを結ぶ長い長さの規制壁部３ｂとを有する断面コ字状の部分であり、開放する側の面には別途カバー部材が取り付けられ閉鎖される。
【０００４】
左右側壁部３ａ、３ａにはそれぞれ上方が開口した軸受４、４が設けられるとともに、この軸受４、４には断面Ｄ字状のヒンジピン５が軸支される。このヒンジピン５には、その中央にダンパー６が嵌合し、ダンパー６の左右にはそれぞれ同形のスプリング７、７が挿入される。ダンパー６及びスプリング７、７を取り付けたヒンジピン５を軸受４、４に軸支した後、押さえ金具８が取り付けられる。押さえ金具８は、その両端に腕部９、９を有するコ字状の部材であり、両腕部９、９の先端にはフックを有する。そして、両腕部９、９先端のフックをヒンジピン５の両端部に上方から係止し、両腕部９、９を結ぶ一辺を肩部材１の規制壁部３ｂにビス止めして取り付ける。
【０００５】
前記ダンパー６は、平らな底壁面１０を有し、この底壁面１０が対向する規制壁部３ｂには、上下方向に伸び且つ左右に離間した２つのガイド１１、１１が取り付けられており、前記底壁面１０は、両ガイド１１、１１間に挿入され、規制壁部３ｂとの間に隙間を設けて支持される。
【０００６】
また、ヒンジピン５の両端部には、補強板１２、１２が取り付けられるとともに、両補強板１２、１２は蓋体に固定される。更に、前記両スプリング７、７の一端は肩部材１に支持され、他端は蓋体に支持され、蓋体を開放方向に付勢する。前記ダンパー６は蓋体が開放する開放途中からダンパー機能が発生するように設定されており、蓋体が開放されると、最初はスプリング７、７の復元力により急激に開放するが、ダンパー６が動作し始め、底壁面が隙間分回動して規制壁部に当接するとダンパー機能が発生し、蓋体のその後の開放速度を低減する（例えば、特許文献１参照。）。
【０００７】
ところで、従来のものは、ダンパー６の底壁面１０と規制壁部３ｂとの間に寧ろ積極的に隙間を設けるものであるところ、ダンパー６の底壁面１０と規制壁部３ｂとの間の隙間はできるだけ少なく、寧ろない方がダンパーの作用時に、底壁面１０と規制壁部３ｂとの衝突箇所に急激な衝撃が加わり異音が発生したり、或いは摩耗する等の弊害が低減するため好ましい。しかしながら、上記ダンパーは市販品が用いられ、底壁面を含めその大きさは予め決められており、隙間をなくそうとすると、２個の軸受４、４の位置と規制壁部３ｂの位置とを必要な長さ離して形成するという精度の高い設計が必要になり、それだけ生産コストを高騰させるという問題を有している。更に、生産コストを低減するために従来の蓋体の型を用いて作成しようとしても大きな設計変更が必要になり、従来の型の単純な設計変更により利用することができないという問題も有している。
【０００８】
また、従来のものは、ダンパー６の底壁面１０を規制壁部３ｂに対向させ、ダンパー６が蓋体或いはヒンジピン５と共回りしようとする力を規制壁部３ｂで受け止める構造であり、規制壁部３ｂを厚くする等してその強度を高める必要があるが、そのような要望に応えるため壁を厚くすると蓋体の重さが増える等、やはりそれだけ生産コストを高騰させるという問題を有している。
【０００９】
更に、従来のものはヒンジピン５にダンパー６及びスプリング７、７等を取り付けた状態で規制壁部に設けたガイド１１、１１間にダンパー６の底壁面１０を挿入するものであり、その取り付けは容易ではなく、手間並びに作業時間が増え、やはりそれだけ生産コストを高騰させるという問題を有している。
【特許文献１】特開２００５−２１１３２２
【発明の開示】
【発明が解決しようとする課題】
【００１０】
本願発明の目的は、このような課題を解決するものである。即ち、ダンパーの底壁面と規制壁部との間の隙間を従来のものの簡単な設計変更で低減でき、同時に規制壁部の強度を高めることができるダンパーの取付構造を提供することである。
【課題を解決するための手段】
【００１１】
上記目的を達成するため、本願発明は以下の構成を採用する。
【００１２】
請求項１に係る発明では、外郭を形成する本体と、前記本体上面の肩部材にヒンジピンを介して取り付けられる蓋体と、前記本体内に収納される内鍋と、前記本体内に設けられる加熱源を有する炊飯器において、前記肩部材には、前記ヒンジピンを配置するための空間を有し、前記空間には、前記ヒンジピン、前記蓋体の開蓋力を減衰するダンパー及び前記蓋体を開蓋するスプリングを有し、前記ヒンジピンに前記ダンパーを設けるとともに、前記ダンパーの底壁面を前記空間を形成する前記肩部材の一壁面に対向させ、前記肩部材の一壁面の前記スプリングに対向する面でない前記ダンパーに対向する面に複数のリブを設け、前記リブの高さは、前記一壁面と前記底壁面との間の隙間が出来るだけ生じない長さであり、前記リブは、開蓋時に前記底壁面が当接する前記肩部材の一壁面を補強する機能を有する構成。
【００１３】
請求項２に係る発明では、外郭を形成する本体と、前記本体上面の肩部材にヒンジピンを介して取り付けられる蓋体と、前記本体内に収納される内鍋と、前記本体内に設けられる加熱源を有する炊飯器において、前記肩部材には、前記ヒンジピンを配置するための空間を有し、前記空間には、前記ヒンジピン、前記蓋体の開蓋力を減衰するダンパー及び前記蓋体を開蓋するスプリングを有し、前記ヒンジピンに前記ダンパーを設けるとともに、前記ダンパーの底壁面を前記空間を形成する前記肩部材の一壁面に対向させ、前記肩部材の一壁面の前記ダンパーに対向する面に複数のリブを設け、前記リブの高さは、前記一壁面と前記底壁面との間の隙間が出来るだけ生じない長さであり、前記リブは、開蓋時に前記底壁面が当接する前記肩部材の一壁面を補強する機能を有し、開蓋時の前記ダンパーの効き始め角度の調整が可能である構成。
【００１４】
請求項３に係る発明では、外郭を形成する本体と、前記本体上面の肩部材にヒンジピンを介して取り付けられる蓋体と、前記本体内に収納される内鍋と、前記本体内に設けられる加熱源を有する炊飯器において、前記肩部材には、前記ヒンジピンを配置するための空間を有し、前記空間には、前記ヒンジピン、前記蓋体の開蓋力を減衰するダンパー及び前記蓋体を開蓋するスプリングを有し、前記ヒンジピンに前記ダンパーを設けるとともに、前記ダンパーの底壁面を前記空間を形成する前記肩部材の一壁面に対向させ、前記肩部材の一壁面の前記ダンパーに対向する面に複数のリブを設け、前記リブの高さは、前記一壁面と前記底壁面との間の隙間が出来るだけ生じない長さであり、前記リブの先端を結んだ線は直線状であり、前記リブは、開蓋時に前記底壁面が当接する前記肩部材の一壁面を補強する機能を有し、開蓋時の前記ダンパーの効き始め角度の調整が可能である構成。
【００１５】
請求項４に係る発明では、外郭を形成する本体と、前記本体上面の肩部材にヒンジピンを介して取り付けられる蓋体と、前記本体内に収納される内鍋と、前記本体内に設けられる加熱源を有する炊飯器において、前記肩部材には、前記ヒンジピンを配置するための空間を有し、前記空間には、前記ヒンジピン、前記蓋体の開蓋力を減衰するダンパー及び前記蓋体を開蓋するスプリングを有し、前記ヒンジピンに前記ダンパーを設けるとともに、前記ダンパーの底壁面を前記空間を形成する前記肩部材の一壁面に対向させ、前記肩部材の一壁面の前記ダンパーに対向する面に複数のリブを設け、前記リブの高さは、前記一壁面と前記底壁面との間の隙間が出来るだけ生じない長さであり、前記リブは、開蓋時に前記底壁面が当接する前記肩部材の一壁面を補強する機能を有し、前記複数のリブの高さは、上下方向で全て同じか、または上下方向で上から順次高くなるか、または上下方向で上から順次低くなるであり、前記複数のリブの高さが前記上下方向で全て同じものと、前記上下方向で上から順次高くなるものと、前記上下方向で上から順次低くなるものとでは前記ダンパーの効き始め角度が異なる構成。
【発明の効果】
【００１６】
請求項１に係る発明では、肩部材のダンパーに対する対向壁面に、該対向壁面とダンパー底壁面との間の隙間を埋める長さを有し、且つ前記対向壁面の強度を補強する機能を有する複数のリブを設けることにより、格別精緻な設計を不要にすることができとともに、従来の蓋体の型を簡単な設計変更で利用することができ、更に、例え製造時にリブの高さが高くなるような誤差が生じたとしても、リブの高さを削るという簡単な修正により容易に対応することができる。更に、対向壁面に対する他の補強手段を不要にすることができる。その結果、生産コストを従来のものに比べ大幅に低減することができる。
【００１７】
請求項２に係る発明では、請求項１に係る発明と同様の効果を奏することができる。
【００１８】
請求項３に係る発明では、複数のリブを上下方向で高さを異ならせることにより、請求項１に係る発明の効果に加え、ダンパーが機能し始める蓋体の開放角度をユーザーの好みに合わせ容易に可変することができ、炊飯器の利便性乃至安全性を高めることができる。
【００１９】
請求項４に係る発明では、複数のリブを上下方向で高さを異ならせることにより、請求項１に係る発明の効果に加え、ダンパーが機能し始める蓋体の開放角度をユーザーの好みに合わせ容易に可変することができ、炊飯器の利便性乃至安全性を高めることができる。
【実施例】
【００２０】
以下、添付の図面を参照して、本願発明の好適な実施例について述べる。図１は炊飯器の全体断面図、図２はヒンジピンが設けられるヒンジ空間を示す斜視図であり、図３、図４はヒンジユニットの組み立て前と組み立て後を示す斜視図であり、図５は閉蓋時の要部拡大断面図であり、図６は開蓋時の要部拡大断面図である。なお、図１において操作部がある左側を前方とし、その反対側のヒンジピンがある右側を後方とし、上側を上方とし、下側を下方とする。
【００２１】
炊飯器２０の全体を図１に示す。炊飯器２０は、本体２１及び蓋体３５からなる。本体２１は、有底筒状に形成された合成樹脂製の部材であり、その上方にはヒンジピン２２を支持する等の肩部材２３を有し、その底部には空気吸気口２４が穿設される底部材２５を有する。本体２１の内部には内鍋２６が着脱自在に配置され、内鍋２６の下方には加熱源としてのＩＨコイル２７が内鍋２６の底部から側部にかけて配置される。ＩＨコイル２７は、炊飯器２０の前方空間３０に設けられる制御装置２８により制御され、内鍋２６内のお米等を適正にマイコン制御する。
【００２２】
そのマイコン制御は、炊飯器２０の前方上面に配置される表示部及び各種ボタンを有する操作部２９の各種ボタンを操作することにより行われる。また、炊飯器２０の前方空間３０の下方には冷却ファン３１が設けられ、前記ＩＨコイル２７及び制御装置２８を冷却する空気を空気吸気口２４から吸入する。
【００２３】
前記蓋体３５は、蓋上部材３６及び蓋下部材３７を有する。蓋上部材３６は外周面を形成する樹脂製の部材であり、その中央には円形開口３８を有する。蓋下部材３７は、中央部の円板状の金属部分３７ａと外周部のドーナツ状の樹脂部分３７ｂとからなり、両部分３７ａ、３７ｂはリング状の第１シールリング４０を狭持する形態で一体化される。そして、蓋上部材３６及び蓋下部材３７はそれぞれの外周端部が係合され、内部に断熱空間４１を形成し、必要に応じて断熱材が設けられる。また、金属部分３７ａの中央にも蓋上部材３６の円形開口３８とほぼ同径の円形開口４２が設けられており、両円形開口３８、４２には調圧ユニット４３が設けられる。
【００２４】
前記調圧ユニット４３は、内部に蒸気通路４４及び蒸気弁４５を有し、内部の蒸気圧を調圧する。また、蓋下部材３７の金属部分３７ａの上面には蓋ヒーター４６が設けられ、内鍋２６内を上方から加熱する。
【００２５】
前記蓋体３５は、炊飯器２０の後方に設けられるヒンジピン２２に開方向の力を付与されて軸支されるとともに、その前方に設けられる係合突起４７を肩部材２３に設けられるロック部材４８に係合することにより閉蓋され、ロック部材４８を押圧することにより開蓋される。また、蓋体３５の下方には、放熱板４９が着脱可能に取り付けられ、蓋ヒーター４６の熱を上方から内鍋２６内のお米等に伝える。この放熱板４９の外周端には第２シールリング４９ａが設けられており、閉蓋時、内鍋２６の上端に当接し内鍋２６内をシールする。
【００２６】
前記肩部材２３の後方には、ヒンジピン２２が配置される図２に示すようなヒンジ空間５０が形成される。このヒンジ空間５０は、図１１の従来例とほぼ同様に左右の短い長さの側壁部５１、５１と、両側壁部５１、５１を結ぶ長い長さの規制壁部５２とを有する断面コ字状の部分であり、開放する側の面には別途カバー部材５３が取り付けられ開放する面を閉鎖する。
【００２７】
左右側壁部５１、５１にはそれぞれ上方が開口した軸受５４、５４が設けられるとともに、この軸受５４、５４には断面Ｄ字状のヒンジピン２２が軸支される。このヒンジピン２２には、図３及び図４に示すようにダンパー５５、２個の同形のスプリング５８、５８、押さえ金具５９及び軸端金具６２、６２が取り付けられ、全体でヒンジユニットＴを形成している。
【００２８】
前記ダンパー５５は、蓋体３５の開放速度を低減する部材であり、その中央の回転部５６と、回転部５６を取り囲む固定部５７を有し、回転部５６の中央には、ヒンジピン２２が嵌合する断面Ｄ字状の貫通口５６ａが設けられ、固定部５７には、規制壁部５２に対向する矩形状の底壁面５７ａを有する。ダンパー５５は、内部には液体が入れられた２室が逆止弁を介して連通可能にされており、回転部５６が一方に回転すると逆止弁が閉じて大きな抵抗を生じ、他方に回転すると逆止弁が開放して抵抗を生じないようにされた液体ダンパーである。蓋体３５は、略９０度開放するように設定されているが、このダンパー５５は、蓋体３５がある角度まで開放する間は機能しなく、蓋体３５が一定以上開放後に機能するように設定されている。例えばダンパーが機能し始める角度を図５のＳ０−Ｓ０線として示す。
【００２９】
前記スプリング５８は、蓋体３５を開放するためのコイル状に巻かれたコイルスプリングであり、その一端の直線状部５８ａは蓋体３５に支持され、他端の直線状部５８ｂは肩部材２３に支持され、蓋体３５を常時開放方向に付勢し、前方の係合突起４７とロック部材４８との係合が解除されると蓋体３５を比較的速い速度で開放する。
【００３０】
前記押さえ金具５９は、ヒンジピン２２の中央部を押さえ、位置決めするための金属製部材であり、本体部６０及びピン取付部６１を有する。本体部６０は、下方に位置する断面コ字状の部分でその中央には２個のビス貫通穴６０ａ、６０ａを有し、ビス６０ｂ、６０ｂをこれらビス貫通穴６０ａ、６０ａから挿通し肩部材２３に螺合することにより、本体部６０を肩部材２３に固定する。また、ピン取付部６１は、本体部６０の上方に一体に形成される本体部６０より小さい断面コ字状の部分で、その対向する２面にはヒンジピン２２が挿通される断面円形のピン貫通穴６１ａ、６１ａが設けられる。
【００３１】
前記軸端金具６２は、ヒンジピン２２の両端部を支持する平面視Ｌ字状の部材で、垂直部６３及び水平部６４を有する。そして、垂直部６３には、ヒンジピン２２を支持するためのピン支持穴６３ａが設けられ、水平部６４には、軸端金具６２を肩部材２３に固定するためのビス貫通穴６４ａが設けられる。
【００３２】
ヒンジユニットＴの組み立てについて説明する。図３に示すように軸端金具６２、スプリング５８、ダンパー５５、押さえ金具５９、スプリング５８及び軸端金具６２を直線上に並べ（但し、ダンパー５５と押さえ金具５９とは並設）、断面Ｄ字状のヒンジピン２２を例えば図３で左側から右側へ移動し、軸端金具６２のピン支持穴６３ａ、スプリング５８、押さえ金具５９のピン貫通穴６１ａ、ダンパー５５の断面Ｄ字状の貫通口５６ａ、押さえ金具５９のピン貫通穴６１ａ、スプリング５８及び軸端金具６２のピン支持穴６３ａの順に挿通する。その結果、図４に示すようなヒンジユニットＴが形成される。そして、ヒンジピン２２はダンパー５５の断面Ｄ字状の貫通口５６ａに嵌合し、ダンパー５５の回転部５６と連れ回りする。
【００３３】
ヒンジユニットＴは、左右側壁部５１、５１に形成される上方が開口した軸受５４、５４にヒンジピン２２を軸支し、軸端金具６２をビス貫通穴６４ａからビス６４ｂを挿通することにより肩部材２３に固定し、押さえ金具５９をビス貫通穴６０ａからビス６０ｂを挿通することにより肩部材２３に固定することにより取り付けられる。なお、ダンパー５５の底壁面５７ａは、肩部材２３の規制壁部５２に対向する形態で取り付けられる。
【００３４】
符号７０は複数、例えば５個のリブである。これらリブ７０は、規制壁部５２のダンパー５５の底壁面５７ａに対向する側に一体に設けられる。リブ７０は、規制壁部５２に水平で平行で且つ略同じ高さを有し、その形状は図５及び図６に示すように断面円弧状で、図５及び図６の紙面に垂直方向には断面細長い矩形状を呈する。
【００３５】
なお、この例ではリブ７０の数は５個のものとして説明しているが、少なくとも上下に離間した２個であればよく、必要に応じて２以上のいずれかの数でよい。数が多いほどダンパー５５から受ける力を分散できるとともに、規制壁部５２自体の強度を高めることができる。この場合、リブ７０の高さはほぼ同じにする。また、リブ７０が延伸する方向は水平が好ましいが、例えば垂直であってもよく、傾斜していてもよく或いはそれらの混合であってもよい。更に断面形状も円弧状だけでなく、台形状、山状、三角状、矩形状等であってもよく、その全体が凹凸状、柱状、球状或いは錐状のものであってもよい。
【００３６】
リブ７０の高さは、ダンパー５５の底壁面５７ａと規制壁部５２の間の隙間の長さに応じて、隙間の長さか、或いは隙間より若干短い長さに調整し、リブ７０の頂部と底壁面５７ａと間に隙間が出来るだけ生じないようにする。規制壁部５２に設けるリブ７０は、従来の肩部材２３に対し若干の設計変更を加えるだけで製造できる。また、リブ７０の高さも容易に調整することができる。そのため、左右側壁部５１、５１の上端部に形成する軸受５４、５４の位置を、例えば他の部品等の位置を優先して設定し、ダンパー５５の底壁面５７ａと規制壁部５２の間に生じる隙間の長さに応じて設定することができる。
【００３７】
更に、リブ７０であれば蓋体３５を製造した後の修正も容易になる。即ち、蓋体３５の製造誤差により、リブ７０の高さが底壁面５７ａと規制壁部５２の間の隙間の長さより長くなったとしても、リブ７０の頂部を削るだけの簡単な作業により容易に修正することができる。
【００３８】
図５に、閉蓋時のダンパー５５の底壁面５７ａと規制壁部５２のリブ７０の関係を示すように、閉蓋時では、ヒンジピン２２はその断面Ｄ字状の弦部分（直線部分）が下方に位置する。ロック部材４８を押圧し、ロック部材４８と係合突起４７との係合が解除されると蓋体３５は、スプリング５８の力によりＳ０−Ｓ０線で示す位置まで速い速度で開放する。ヒンジピン２２がダンパー５５の回転部５６とともにＳ０−Ｓ０線で示す位置まで達するとダンパー５５が機能し始め蓋体３５の開放速度を低減する。その後蓋体３５は図６で示す回動角度が９０度である開蓋位置までゆっくり開放する。そのため、ユーザーが蓋体３５の急激な開放により驚いたり、或いは蓋体３５が手等に当たったりする弊害が低減する。
【００３９】
図７及び図８に変形例を示す。ところで、上記したように蓋体３５は、Ｓ０−Ｓ０線の位置でダンパー５５の機能が発生するように平均的な角度が設定される。しかしながら、炊飯器を頻繁に利用しない家庭等では、安全性を考慮し、寧ろゆっくり蓋体３５を開きたいと希望するユーザーがいる。また、それとは逆に、頻繁に炊飯器の蓋体３５を開いてご飯を取り出す例えば食事を提供する店等では、より早く蓋体３５を開きたいと希望するユーザーもいる。図７のものは前者に対応し、図８のものは後者に対応するものである。
【００４０】
図７のものは、規制壁部５２に設ける複数のリブ７０の高さを下から上に順次低くするものである。複数のリブ７０の高さを下から上に順次低くすると、ダンパー５５の底壁面５７ａは角度θ１だけ前方（左側）に傾くことになり、ダンパー５５の効き始め角度も前方（左側）に傾き、蓋体３５のダンパー５５の効き始め角度を上記平均的な角度より早める。即ち、Ｓ０−Ｓ０線の角度をＳ１−Ｓ１線の角度に早める。このような構造により、蓋体３５の開放角度、例えば９０度のうち、その後半のより多くの角度に亘って蓋体３５がゆっくり開放することになるため、例えばお年寄り或いは子供が開蓋しても蓋体３５が手等に当たったりする弊害が低減する。
【００４１】
図８のものは、規制壁部５２に設ける複数のリブ７０の高さを下から上に順次高くするものである。複数のリブ７０の高さを下から上に順次高くすると、ダンパー５５の底壁面５７ａは角度θ２だけ後方（右側）に傾くことになり、ダンパー５５の効き始め角度も後方（右側）に傾き、蓋体３５のダンパー５５の効き始め角度を上記平均的な角度より遅らす。即ち、Ｓ０−Ｓ０線の角度をＳ２−Ｓ２線の角度に遅める。このような構造により、蓋体３５の開放角度、例えば９０度のうち、その前半のより多くの角度に亘って蓋体３５が早く開放することになるため、頻繁に炊飯器の蓋体を開いてご飯を取り出す例えば食事を提供する店等での利便性が高まる。
【００４２】
図９及び図１０に更に他の変形例を示す。ところで、図５及び図６に示すものは、ヒンジピン２２の浮き上がりを防止するための位置固定を、押さえ金具５９と軸端金具６２で行っているが、図９及び図１０に示すものは前記リブ７０等を利用して行い、少なくとも押さえ金具５９を不要にすることができるものである。
【００４３】
図９に示すものは前記リブ７０を利用するものである。即ち、複数のリブ７０を上下に設けるとともに、上下端のリブ７０ａ、７０ｂの高さを他のリブ７０より高くするとともに、上下端のリブ７０ａ、７０ｂ間の長さを前記底壁面５７ａの上下の長さより長くし、前記上下端のリブ７０ａ、７０ｂ間に前記底壁面５７ａを挿入し、前記上下端のリブ７０ａ、７０ｂで前記ダンパー５５を位置固定するものである。このような構造により押さえ金具５９を不要にすることができる。なお、この場合、上下端のリブ７０ａ、７０ｂの断面形状は円弧状でもよいが、矩形或いは台形状が好ましい。
【００４４】
図１０に示すものは前記リブ７０と底壁面５７ａの凸部７１を利用するものである。即ち、複数のリブ７０を上下に設けるとともに、前記ダンパー５５の底壁面５７ａの上下に、前記上下端のリブ７０ａ、７０ｂ間の長さより長く離れて凸部７１、７１を設け、前記上下の凸部７１、７１間に前記上下端のリブ７０ａ、７０ｂを挿入し、前記上下の凸部７１、７１で前記ダンパー５５を位置固定するものである。このような構造により同様に押さえ金具５９を不要にすることができる。なお、この場合、上下の凸部７１、７１及び上下端のリブ７０ａ、７０ｂの断面形状は円弧状でもよいが、矩形或いは台形状が好ましい。
【００４５】
本発明は、前記実施例の構成に限定されるものではなく、発明の要旨を逸脱しない範囲において適宜設計変更可能である。
【図面の簡単な説明】
【００４６】
【図１】本願発明の炊飯器の全体断面図
【図２】ヒンジピンが設けられるヒンジ空間を示す斜視図
【図３】ヒンジユニットの組み立て前を示す斜視図
【図４】ヒンジユニットの組み立て後を示す斜視図
【図５】閉蓋時の要部拡大断面図
【図６】開蓋時の要部拡大断面図
【図７】閉蓋時の他の要部拡大断面図
【図８】閉蓋時の更に他の要部拡大断面図
【図９】閉蓋時の更に他の要部拡大断面図
【図１０】閉蓋時の更に他の要部拡大断面図
【図１１】従来の閉蓋時の要部拡大断面図
【符号の説明】
【００４７】
Ｔ…ヒンジユニット      ２０…炊飯器
２１…本体              ２２…ヒンジピン
２３…肩部材            ２４…空気吸気口
２５…底部材            ２６…内鍋
２７…ＩＨコイル        ２８…制御装置
２９…操作部            ３０…前方空間
３１…冷却ファン        ３５…蓋体
３６…蓋上部材          ３７…蓋下部材
３７ａ…金属部分        ３７ｂ…樹脂部分
３８…円形開口          ４０…第１シールリング
４１…断熱空間          ４２…円形開口
４３…調圧ユニット      ４４…蒸気通路
４５…蒸気弁            ４６…蓋ヒーター
４７…係合突起          ４８…ロック部材
４９…放熱板            ４９ａ…第２シールリング
５０…ヒンジ空間        ５１…側壁部
５２…規制壁部          ５３…カバー部材
５４…軸受              ５５…ダンパー
５６…回転部            ５６ａ…貫通口
５７…固定部            ５７ａ…底壁面
５８…スプリング        ５９…押さえ金具
６０…本体部            ６０ａ…ビス貫通穴
６０ｂ…ビス            ６１…ピン取付部
６１ａ…ピン貫通穴      ６２…軸端金具
６３…垂直部            ６３ａ…ピン支持穴
６４…水平部            ６４ａ…ビス貫通穴
６４ｂ…ビス            ７０…リブ
７１…凸部
【図１】
0005239381.tif 000002
【図２】
0005239381.tif 000003
【図３】
0005239381.tif 000004
【図４】
0005239381.tif 000005
【図５】
0005239381.tif 000006
【図６】
0005239381.tif 000007
【図７】
0005239381.tif 000008
【図８】
0005239381.tif 000009
【図９】
0005239381.tif 000010
【図１０】
0005239381.tif 000011
【図１１】
0005239381.tif 000012